(57)【要約】【課題】設定された条件の確認を容易にする設定確認表示装置を提供する。【解決手段】設定確認表示装置は、電子文書の一部にアクセス権が多数設定されている場合に、入力された絞込み条件（設定対象、有効期間または設定内容等を特定する条件）に基づいてアクセス権を絞り込み、絞り込まれたアクセス権の設定範囲を示す設定範囲表示７１０を、権限の内容、権限付与の対象、及び、権限の有効期間等を区別できるように色又は模様を変えてプレビュー画面７００上に表示する。【選択図】          図１１
2004272421.tif 000002
【特許請求の範囲】
【請求項１】
少なくとも１つの設定範囲にアクセス権が設定された設定対象に対し、前記アクセス権の設定条件を絞り込むための絞込み条件を受け付ける入力手段と、
前記入力手段により受け付けられた絞込み条件に対応するアクセス権の設定範囲を抽出する抽出手段と、
前記抽出手段により抽出された設定範囲を、前記設定対象と共に表示する表示手段と
を有する設定確認表示装置。
【請求項２】
前記アクセス権は、有効期間を指定して設定されており、
前記入力手段は、時点を指定する絞込み条件を受け付け、
前記抽出手段は、前記絞込み条件により指定された時点において、有効期間内であるアクセス権の設定範囲を抽出する
請求項１に記載の設定確認表示装置。
【請求項３】
前記入力手段は、複数の時点を順に指定する絞込み条件を受け付け、
前記抽出手段は、前記絞込み条件により指定された各時点において、有効期間内であるアクセス権の設定範囲を抽出し、
前記表示手段は、前記抽出手段により抽出された各時点のアクセス権の設定範囲を、これらの時点が指定された順に表示する
請求項２に記載の設定確認表示装置。
【請求項４】
前記入力手段は、互いに異なる複数の絞込み条件を受け付け、
前記抽出手段は、前記入力手段により受け付けられた複数の絞込み条件それぞれについて、アクセス権の設定範囲を抽出し、
前記表示手段は、複数の絞込み条件それぞれについて抽出された設定範囲の差分を表示する
請求項１に記載の設定確認表示装置。
【請求項５】
前記設定対象に設定されたアクセス権のリストを表示するリスト表示手段
をさらに有し、
前記入力手段は、前記リスト表示手段により表示されたリストの中から、アクセス権を選択する操作を、前記絞込み条件として受け付け、
前記抽出手段は、前記入力手段により受け付けられた操作により選択されたアクセス権の設定範囲を抽出し、
前記表示手段は、前記抽出手段により抽出されたアクセス権の設定範囲を表示する
請求項１に記載の設定確認表示装置。
【請求項６】
前記表示手段は、前記抽出手段により抽出された設定範囲を、この設定範囲に設定された設定条件の内容を区別できる態様で表示する
請求項１〜５のいずれかに記載の設定確認表示装置。
【請求項７】
電子文書の機密部分に対してアクセス権を設定する設定手段
をさらに有し、
前記入力手段は、前記設定手段により設定されたアクセス権の設定条件を絞り込むための絞込み条件を受け付け、
前記抽出手段は、前記入力手段により受け付けられた絞込み条件に対応するアクセス権の設定範囲を抽出し、
前記表示手段は、前記抽出手段により抽出された設定範囲を、前記電子文書と共に表示する
請求項６に記載の設定確認表示装置。
【請求項８】
少なくとも１つの設定範囲にアクセス権が設定された設定対象に対し、前記アクセス権の設定条件を絞り込むための絞込み条件を受け付け、
受け付けられた絞込み条件に対応するアクセス権の設定範囲を抽出し、
抽出された設定範囲を、前記設定対象と共に表示する
設定確認表示方法。
【請求項９】
コンピュータを含む設定確認表示装置において、
少なくとも１つの設定範囲にアクセス権が設定された設定対象に対し、前記アクセス権の設定条件を絞り込むための絞込み条件を受け付けるステップと、
受け付けられた絞込み条件に対応するアクセス権の設定範囲を抽出するステップと、
抽出された設定範囲を、前記設定対象と共に表示するステップと
を前記設定確認表示装置のコンピュータに実行させるプログラム。
【発明の詳細な説明】
【０００１】
【発明の属する技術分野】
本発明は、条件設定を支援する設定確認表示装置に関する。
【０００２】
【従来の技術】
複数の対象に対して、複数種類の条件（アクセス権等）を設定する場合がある（特許文献１〜６）。例えば、電子文書にアクセス権を設定する場合には、複数の文書領域に対して、アクセス権の内容（閲覧、編集、又はコピー等の許可／不許可）、アクセス権が与えられる対象の範囲、及び、アクセス権の有効期間等の２種以上の条件からなるアクセス権が設定される。
このように、複数の条件からなるアクセス権が互いに入り組んだ状態で設定された場合に、これらのアクセス権を単に羅列して表示しただけでは、設定されたアクセス権の把握が困難であり、アクセス権の設定ミスまたは設定漏れが発生するおそれもある。
【０００３】
【特許文献１】
特開平１−２４３１７２号公報
【特許文献２】
特開平６−２１４８６２号公報
【特許文献３】
特開平１０−１１６２７１号公報
【特許文献４】
特開平１１−２５０７６号公報
【特許文献５】
特開２０００−２０３７７号公報
【特許文献６】
特開２００２−２７９２８９号公報
【０００４】
【発明が解決しようとする課題】
本発明は、上述した背景からなされたものであり、設定されたアクセス権の確認を容易にする設定確認表示装置、設定確認表示方法、およびそのプログラムを提供することを目的とする。
【０００５】
【課題を解決するための手段】
［設定確認表示装置］
上記目的を達成するために、本発明にかかる設定確認表示装置は、少なくとも１つの設定範囲にアクセス権が設定された設定対象に対し、前記アクセス権の設定条件を絞り込むための絞込み条件を受け付ける入力手段と、前記入力手段により受け付けられた絞込み条件に対応するアクセス権の設定範囲を抽出する抽出手段と、前記抽出手段により抽出された設定範囲を、前記設定対象と共に表示する表示手段とを有する。
【０００６】
好適には、前記アクセス権は、有効期間を指定して設定されており、前記入力手段は、時点を指定する絞込み条件を受け付け、前記抽出手段は、前記絞込み条件により指定された時点において、有効期間内であるアクセス権の設定範囲を抽出する。
【０００７】
好適には、前記入力手段は、複数の時点を順に指定する絞込み条件を受け付け、前記抽出手段は、前記絞込み条件により指定された各時点において、有効期間内であるアクセス権の設定範囲を抽出し、前記表示手段は、前記抽出手段により抽出された各時点のアクセス権の設定範囲を、これらの時点が指定された順に表示する。
【０００８】
好適には、前記入力手段は、互いに異なる複数の絞込み条件を受け付け、前記抽出手段は、前記入力手段により受け付けられた複数の絞込み条件それぞれについて、アクセス権の設定範囲を抽出し、前記表示手段は、複数の絞込み条件それぞれについて抽出された設定範囲の差分を表示する。
【０００９】
好適には、前記設定対象に設定されたアクセス権のリストを表示するリスト表示手段をさらに有し、前記入力手段は、前記リスト表示手段により表示されたリストの中から、アクセス権を選択する操作を、前記絞込み条件として受け付け、前記抽出手段は、前記入力手段により受け付けられた操作により選択されたアクセス権の設定範囲を抽出し、前記表示手段は、前記抽出手段により抽出されたアクセス権の設定範囲を表示する。
【００１０】
好適には、前記表示手段は、前記抽出手段により抽出された設定範囲を、この設定範囲に設定された設定条件の内容を区別できる態様で表示する。
【００１１】
好適には、電子文書の機密部分に対してアクセス権を設定する設定手段をさらに有し、前記入力手段は、前記設定手段により設定されたアクセス権の設定条件を絞り込むための絞込み条件を受け付け、前記抽出手段は、前記入力手段により受け付けられた絞込み条件に対応するアクセス権の設定範囲を抽出し、前記表示手段は、前記抽出手段により抽出された設定範囲を、前記電子文書と共に表示する。
【００１２】
［設定確認表示方法］
また、本発明にかかる設定確認表示方法は、少なくとも１つの設定範囲にアクセス権が設定された設定対象に対し、前記アクセス権の設定条件を絞り込むための絞込み条件を受け付け、受け付けられた絞込み条件に対応するアクセス権の設定範囲を抽出し、抽出された設定範囲を、前記設定対象と共に表示する。
【００１３】
［プログラム］
また、本発明にかかるプログラムは、コンピュータを含む設定確認表示装置において、少なくとも１つの設定範囲にアクセス権が設定された設定対象に対し、前記アクセス権の設定条件を絞り込むための絞込み条件を受け付けるステップと、受け付けられた絞込み条件に対応するアクセス権の設定範囲を抽出するステップと、抽出された設定範囲を、前記設定対象と共に表示するステップとを前記設定確認表示装置のコンピュータに実行させる。
【００１４】
【発明の実施の形態】
［背景］
まず本発明の理解を助けるために、具体例を挙げてその背景を説明する。
例えば、電子文書に機密部分が含まれている場合に、この機密部分に対して、閲覧（Ｖｉｅｗ）、印刷（Ｐｒｉｎｔ）、複製（Ｃｏｐｙ）、及び編集（Ｅｄｉｔ）等の許可／禁止の権限（以下、権限レベル）がアクセス権として設定される。また、電子文書の各機密部分に対して、閲覧者毎及び期間毎にアクセス権を設定したい場合もある。このように様々な設定条件からなるアクセス権が多数設定される場合に、アクセス権の設定範囲と、このアクセス権の設定条件とを容易に確認する手段が必要とされる。
このような要求に対して、例えば、電子文書に含まれる１つの機密部分に対して設定条件の異なる複数のアクセス権が重ねて設定された場合に、設定されたアクセス権の設定条件に応じて互いに異なる表示態様で、それぞれのアクセス権の設定範囲を表示することにより、設定されたアクセス権の設定条件を識別させてもよい。
しかしながら、上記のような手段によっても、あまりにも多くのアクセス権が設定されると、設定結果の把握が困難になり、アクセス権の設定ミスまたは設定漏れが発生する可能性があった。
【００１５】
そこで、本実施形態の条件設定装置２は、絞込み条件により絞り込まれた設定条件に対応するアクセス権の設定範囲を表示して、設定されたアクセス権の確認を容易にする。また、条件設定装置２は、複数の絞込み条件により絞り込まれた設定範囲の差分を表示することにより、見えの差を視認可能にする。さらに、条件設定装置２は、設定範囲の時間変化を連続的に表示して、各時点におけるアクセス権の設定範囲の時間軸に沿った確認を可能にする。
【００１６】
［実施形態］
次に、本発明の実施形態を説明する。
図１は、本発明にかかる設定確認表示方法が適応される条件設定装置２のハードウェア構成を例示する図である。
図１に示すように、条件設定装置２は、ＣＰＵ２０２およびメモリ２０４などを含む制御装置２０、通信装置２２、プリンタ２３、ＨＤＤ・ＣＤ装置などの記録装置２４、および、ＬＣＤ表示装置あるいはＣＲＴ表示装置およびマウス・キーボード・タッチパネルなどを含むユーザインターフェース装置（ＵＩ装置）２６から構成される。
【００１７】
［条件設定プログラム５］
図２は、制御装置２０（図１）により実行され、本発明にかかる設定確認表示方法を実現する条件設定プログラム５の構成を示す図である。
図２に示すように、条件設定プログラム５は、ＵＩ部５１０（表示手段）、設定管理部５２０、設定データベース（設定ＤＢ）５３０、抽出部５４０、ＵＩ制御部５５０、及び印刷部５６０から構成される。また、ＵＩ制御部５４０は、条件表示制御部５４２およびリスト表示部５５４を有する。
条件設定プログラム５は、例えば記録媒体２４０（図１）またはネットワークを介して制御装置２０に供給され、メモリ２０４にロードされて実行される。
【００１８】
条件設定プログラム５において、ＵＩ部５１０は、ＵＩ装置２６（図１）のマウス又はキーボードを制御して、アクセス権を設定するための設定情報、または、設定されたアクセス権を確認するための絞込み条件等の入力を受け付け、設定管理部５２０及びＵＩ制御部５４０に対して出力する。また、ＵＩ部５１０は、ＵＩ装置２６の表示装置を制御して、設定画面及び設定確認画面等を表示させる。
【００１９】
設定管理部５２０は、ＵＩ部５１０から入力された設定情報に応じて、アクセス権の設定を行い、設定ＤＢ５３０に格納されている設定テーブルを更新する。本例の設定管理部５２０は、アクセス権の権限レベル（閲覧権限、印刷権限、複製権限および編集権限の有無）、アクセス権が付与される付与対象、および、アクセス権の有効期間を指定して、アクセス権を設定する。その際に、設定管理部５２０は、新たに入力された設定情報（権限レベル、付与対象および有効期間）が、既に設定されているアクセス権と矛盾しないかチェックして、このチェックの結果を、ＵＩ部５１０を介して出力してもよい。
【００２０】
抽出部５４０は、ＵＩ部５１０およびＵＩ制御部５５０を介して、絞込み条件が入力されると、入力された絞込み条件により絞り込まれた設定条件に対応するアクセス権の設定範囲を抽出する。本例の抽出部５４０は、入力された絞込み条件に対応するアクセス権設定情報を設定ＤＢ５３０から抽出し、ＵＩ制御部５５０に対して出力する。絞込み条件とは、アクセス権の設定項目について設定条件を絞り込むための条件であり、例えば、アクセス権の有効期間、アクセス権の権限レベル、および、アクセス権が与えられる付与対象等を指定する条件である。アクセス権の有効期間は、時点または期間のいずれで指定してもよい。また、権限レベルとは、許可／禁止される内容を示し、例えば、「閲覧可」、「印刷可」または「複製不可」等の条件で指定される。
なお、抽出部５４０は、絞込み条件が入力されない場合には、電子文書に設定されている全てのアクセス権設定情報を抽出して、設定されている全てのアクセス権の設定範囲を表示させる。
【００２１】
ＵＩ制御部５５０は、条件表示制御部５５２およびリスト表示部５５４を有する。
条件表示制御部５５２は、アクセス権が設定されている設定範囲を、ＵＩ部５１０を制御して表示させる。本例の条件表示制御部５５２は、アクセス権の設定範囲を、画面上の領域を示す設定範囲表示（例えば、枠または網掛けなど）を用いて表示させるが、これに限定されるものではなく、設定範囲を示す文字列（座標値そのものなど）を用いて表示させてもよい。
例えば、条件表示制御部５５２は、設定ＤＢ５３０に格納されているアクセス権設定情報の更新を検知して、更新されたアクセス権の設定範囲を示す設定範囲表示を表示させる。このとき、条件表示制御部５５２は、設定されているアクセス権の内容（権限レベル、有効期間、及び付与対象等）を区別できるように、設定範囲表示の色又は模様を変えて、アクセス権が設定される機密部分（設定対象）に重ねて表示させる。
また、条件表示制御部５５２は、抽出部５４０から複数の絞込み条件に対応するアクセス権設定情報が入力されると、これらの絞込み条件に対応するアクセス権について論理演算（ＡＮＤ演算、ＯＲ演算、ＮＯＴ演算、ＸＯＲ演算等）を行い、演算結果に対応するアクセス権の設定範囲表示を表示する。例えば、絞込み条件として期間１と期間２との「差分」が指定されている場合に、条件表示制御部５５２は、期間１に設定されているアクセス権の設定範囲であって、期間２に設定されていない設定範囲を抽出し、抽出された設定範囲に対応する設定範囲表示を表示する。
【００２２】
リスト表示部５５４は、設定されたアクセス権を一覧で表示する。本例のリスト表示部５５４は、設定されたアクセス権の識別情報（設定条件番号）と、アクセス権の権限レベル（閲覧可／不可、編集可／不可等）と、アクセス権の有効時間とをリストにして表示する。本例のリストは、設定された順番に並べられたものである。
リスト表示部５５４は、ＵＩ部５１０を介して、一覧表示されたアクセス権の１つを選択する操作を受け付けると、選択されたアクセス権の設定範囲表示を表示するよう条件表示制御部５５２に対して指示する。条件表示制御部５５２は、リスト表示部５５４の指示に応じて、選択された旨が区別できる表示態様で、このアクセス権の設定範囲表示を表示する。
【００２３】
印刷部５６０は、ＵＩ部５１０を介して印刷指示が入力されると、プリンタ２３（図１）を制御して設定確認画面等を印刷する。
【００２４】
図３は、設定ＤＢ５３０が記憶する設定テーブル５３２を例示する図である。
図３に例示するように、設定ＤＢ５３０は、設定条件番号（設定条件Ｎｏ）、アクセス権が設定される機密部分、アクセス権が与えられる付与対象（権限範囲）、権限レベル（権限内容）、及び権限の有効期間（期間）を互いに対応付けて設定テーブル５３２として記憶する。
「設定条件Ｎｏ」は、アクセス権設定情報の入力順に割り当てられるシリアル番号であり、アクセス権設定情報の識別情報として用いられる。
「機密部分」は、アクセス権が設定される範囲を示し、本例では、電子文書内の機密部分を示す。
「権限範囲」は、アクセス権が与えられている閲覧者の範囲を示す。例えば、「Ａ１２Ｇ００００」は、「Ａ１２グループ」の構成員全体が権限の付与対象であることを示し、「Ａ１３Ｇ０００１」は、「Ａ１３グループ」に属する構成員番号「０００１」に対応する構成員が権限の付与対象であることを示す。
「権限内容」は、権限レベルを示し、例えば、「Ｖ」及び「Ｅ」は、それぞれ閲覧可能及び編集可能を示し、「ＡＬＬ」は、閲覧、印刷、複製及び編集の全てが可能であることを示す。
「期間」は、設定されたアクセス権の有効期間を示し、期間の指定がない場合（「ｎｕｌｌ」の場合）には、無期限にアクセス権が有効であることを示す。なお、有効期間は、始期及び終期が定められていない無期限のもの、期間の始期のみが定められたもの、期間の終期のみが定められたもの、及び、期間の始期及び終期が定められたもの等を含む。
【００２５】
［権限設定動作］
以下、条件設定装置２の権限設定動作を説明する。
図４は、条件設定装置２（条件設定プログラム５）の権限設定動作（Ｓ１０）を示すフローチャートである。
図４に示すように、ステップ１１０（Ｓ１１０）において、電子文書にアクセス権を設定する設定者が、ＵＩ装置２６（図１）を用いて、機密部分、権限の付与対象の範囲、権限内容（権限レベル）及び有効期間を指定する設定情報を入力すると、ＵＩ部５１０は、入力された設定情報を設定管理部５２０に対して出力する。
設定管理部５２０は、入力された設定情報に応じて、電子文書の機密部分にアクセス権を設定し、設定ＤＢ５３０の設定テーブル５３２を更新する。
ステップ１２０（Ｓ１２０）において、条件表示制御部５４２は、設定ＤＢ５３０内の更新を検知すると、新たに設定されたアクセス権を特定し、新たに設定されたアクセス権に対応する設定範囲表示を検索する。すなわち、条件表示制御部５４２は、新たに設定されたアクセス権と同一の権限属性（権限レベル、付与対象および有効期間）を有するアクセス権が既に登録されていないか検索する。他の機密部分に同一のアクセス権が設定されている場合には、これと同一の表示態様（色及び模様）で設定範囲表示を表示させるためである。
【００２６】
ステップ１３０（Ｓ１３０）において、条件表示制御部５４２は、対応する設定範囲表示を発見した場合に、条件設定プログラム５は、Ｓ１５０の処理に移行し、これ以外の場合に、Ｓ１４０の処理に移行する。
ステップ１４０（Ｓ１４０）において、条件表示制御部５４２は、新たに設定されるアクセス権の設定範囲表示について、表示態様（色及び模様）を選択させる画面（表示属性設定画面）を表示させて、表示態様の選択を受け付け、選択された表示態様を権限属性に対応付けて登録する。
ステップ１５０（Ｓ１５０）において、条件表示制御部５４２は、アクセス権が設定された機密領域に、設定されたアクセス権の属性に応じた設定範囲表示を表示させる。
このように、条件表示制御部５４２は、新たにアクセス権が設定されると、新たな設定範囲表示を追加して、設定された複数のアクセス権に対応する設定範囲表示を表示させる。
【００２７】
図５は、図４に示された設定情報入力処理（Ｓ１１０）をより詳細に説明するフローチャートである。
図５に示すように、ステップ１１２（Ｓ１１２）において、ＵＩ部５１０は、ＵＩ装置２６（図１）を介して、機密部分の範囲を指定する操作を受け付け、さらに、指定された機密部分についてアクセス権を与える付与対象（権限付与対象）の入力を受け付ける。
ステップ１１４（Ｓ１１４）において、ＵＩ部５１０は、ＵＩ装置２６を介して、アクセス権の有効期間の入力を受け付ける。
ステップ１１６（Ｓ１１６）において、ＵＩ部５１０は、ＵＩ装置２６を介して、アクセス権の権限レベルの設定操作を受け付ける。
ステップ１１８（Ｓ１１８）において、ＵＩ部５１０は、機密部分、付与対象、有効期間、及び権限レベルを識別する情報を、アクセス権設定情報として設定管理部５２０に対して出力する。
設定管理部５２０は、入力されたアクセス権設定情報に応じて、アクセス権の設定を行い、設定ＤＢ５３０の設定テーブル５３２を更新する。
【００２８】
［設定画面］
図６は、ＵＩ部５１０により表示される設定画面を例示する図である。図６（Ａ）は、機密部分の指定を受け付ける設定画面６１０を例示し、図６（Ｂ）は、アクセス権の有効期間の設定を受け付ける設定画面６２０を例示し、図６（Ｃ）は、権限レベルの設定を受け付ける設定画面６３０を例示する。
図６（Ａ）に例示するように、ＵＩ部５１０は、図５のＳ１１２において、設定画面６１０を表示させる。設定画面６１０には、設定確認画面６１２と、画面遷移ボタン６１４とが表示される。
設定確認画面６１２は、アクセス権設定の対象となる電子文書を表示し、機密部分の範囲を指定する操作を受け付ける。指定された機密部分は、指定範囲表示６１２ａにより表示される。
画面遷移ボタン６１４には、期間設定画面６２０に遷移するためのボタン６１４ａと、権限付与対象を設定する対象設定画面に遷移するためのボタン６１４ｂと、権限レベルを設定するレベル設定画面６３０に遷移するためのボタン６１４ｃとが含まれる。
アクセス権の設定者は、設定確認画面６１２で機密部分の範囲（アクセス権が設定されるコンテンツ）を指定し、画面遷移ボタン６１４をクリック等して、指定された機密部分に対する権限属性（権限レベル、付与対象および有効期間）の設定処理に移行する。
【００２９】
図６（Ｂ）に例示するように、ＵＩ部５１０は、図５のＳ１１４において、期間設定画面６２０を表示させる。期間設定画面６２０には、図６（Ａ）と実質的に同一の設定確認画面６１２と、テンキーボタン６２２と、スライダーバー６２４と、期間表示部６２６とが表示される。
テンキーボタン６２２は、表示された数字又は文字の選択操作を検知して、アクセス権の有効期間の入力を受け付ける。また、スライダーバー６２４は、バー６２４ａのドラッグ操作を検知して、アクセス権の有効期間の入力を受け付ける。
期間表示部６２６は、入力された有効期間を表示して、入力結果を確認させる。
【００３０】
図６（Ｃ）に例示するように、ＵＩ部５１０は、図５のＳ１１６において、レベル設定画面６１２を表示させる。レベル設定画面６１２には、図６（Ａ）と実質的に同一の設定確認画面６１２と、レベル設定ボタン６３２とが表示される。
レベル設定ボタン６３２は、閲覧（Ｖｉｅｗ）、印刷（Ｐｒｉｎｔ）、複製（Ｃｏｐｙ）及び編集の可否を選択する操作を受け付ける。
【００３１】
図７は、条件表示制御部５４２により表示される表示属性設定画面６４０を例示する図である。条件表示制御部５４２は、図４のＳ１４０において、表示属性設定画面６４０を表示させる。表示属性設定画面６４０には、色指定部６４２と、パターン指定部６４４とが表示される。
色指定部６４２は、自動色割当ボタン６４２ａと、色選択ボタン６４２ｂ等とを有する。自動色割当ボタン６４２ａでクリック操作等が検知されると、条件表示制御部５４２は、権限属性を一意に区別できるように色を自動的に割り当てる。また、色選択ボタン６４２ｂ等でクリック操作等が検知されると、条件表示制御部５４２は、検知位置に応じた色を設定範囲表示に割り当てる。
パターン指定部６４４は、複数の模様に対応するパターン選択ボタン６４４ａ等を有する。パターン選択ボタン６４４ａが選択操作を検知すると、条件表示制御部５４２は、選択操作に対応する模様を設定範囲表示に割り当てる。
アクセス権の設定者は、この表示属性設定画面６４０を用いて、アクセス権の属性を区別できるように、設定範囲表示の色及び模様を設定する。設定された表示属性（色及び模様）は、確認のため表示属性設定画面６４０上に表示される。なお、本例は、色の種類及び模様を表示属性とした形態を具体例として説明したが、これに限定されるものではなく、例えば、色の濃さ又は彩度、並びに、強調度合い等を表示属性とし、アクセス権の属性に応じて変化させてもよい。
【００３２】
図８は、設定確認画面６１２に表示される電子文書を例示する図である。また、図９は、図８に例示された電子文書にアクセス権が設定された場合のプレビュー画面７００を例示する図である。
図８に例示するように、本例の電子文書は「Ａ開発部」の組織図である。すなわち、本例のＵＩ部５１０は、アクセス権の設定対象として、「Ａ開発部」の組織図を示す電子文書を表示する。
図９に例示するように、ＵＩ部５１０は、図８に例示した電子文書をプレビュー画面７００上に表示し、さらに、条件表示制御部５４２の制御に応じて、アクセス権の設定範囲を示す設定範囲表示７１０ａ、７１０ｂ、７１０ｃ、及び７１０ｄを、プレビュー画面７００上に重ねて表示する。プレビュー画面７００に表示された設定範囲表示７１０は、アクセス権の属性に応じた色及び模様で表示され、アクセス権が設定された機密部分（設定対象）の近傍に配置される。
なお、プレビュー画面７００は、プレビューの指示を受け付けた場合に、設定確認画面６１２の領域に表示される場合を具体例として説明するが、これに限定されるものではなく、他の領域に表示されてもよい。また、プレビュー画面７００は、プリンタ２３（図１）によりシート上に印刷されてもよい。
このように、条件設定プログラム５は、電子文書の複数の機密部分に複数のアクセス権が設定された場合に、これらのアクセス権の設定範囲を、設定内容に応じて互いに異なる表示態様で表すことにより、アクセス権の設定内容の違いを可視化する。しかしながら、１つの機密部分に複数のアクセス権が重ねて設定されると、設定内容の確認・検討が困難になる。
そこで、以下に説明するように、条件設定プログラム５は、絞込み条件でアクセス権を絞り込み、絞り込まれたアクセス権の設定範囲を表示する。
【００３３】
［絞込み表示］
次に、絞込み条件によりアクセス権を絞り込んで表示する動作を説明する。
図１０は、絞込み表示（Ｓ２０）の動作を説明するフローチャートである。
図１０に示すように、ステップ２１０（Ｓ２１０）において、ＵＩ部５１０は、少なくとも１つの絞込み条件の入力を受け付けると、ＵＩ制御部５５０を介して抽出部５４０に対して出力する。
ステップ２２０（Ｓ２２０）において、抽出部５４０は、入力された絞込み条件に対応するアクセス権設定情報を設定ＤＢ５３０から取得して、条件表示制御部５５２に対して出力する。
ステップ２３０（Ｓ２３０）において、条件表示制御部５５２は、差分の表示が指示しているか否かを判断する。条件設定プログラム５は、差分表示が指示されている場合に、Ｓ２４０の処理に移行し、これ以外の場合に、Ｓ２５０の処理に移行する。すなわち、条件設定プログラム５は、差分表示が指示されていない場合に、Ｓ２５０の処理に移行して、絞込み条件により絞り込まれたアクセス権の設定範囲を示す設定範囲表示を表示する。
【００３４】
ステップ２４０（Ｓ２４０）において、条件表示制御部５５２は、抽出部５４０から入力されたアクセス権情報に基づいて、絞込み条件に対応するアクセス権の差分を抽出する。例えば、条件表示制御部５５２は、第１の絞込み条件に対応するアクセス権の設定範囲から、第２の絞込み条件に対応するアクセス権の設定範囲と重なる部分を除いて、第１の絞込み条件に対応するアクセス権が設定された範囲であって、第２の絞込み条件に対応するアクセス権が設定されていない範囲を抽出する。
このように、本例では、条件表示制御部５５２が設定範囲の差分を抽出する場合を具体例として説明するが、重なり部分（積集合）等を抽出してもよい。
【００３５】
ステップ２５０（Ｓ２５０）において、条件表示制御部５５２は、ＵＩ部５１０を制御して、抽出された範囲（差分）を示す設定範囲表示をＵＩ装置２６（図１）上に表示させる。また、差分表示が指示されていない場合に、条件表示制御部５５２は、抽出部５４０から入力されたアクセス権設定情報に対応する設定範囲表示をＵＩ装置２６上に表示させる。
【００３６】
図１１は、絞込み条件により絞り込まれたアクセス権の設定範囲表示を例示する図である。
図１１に例示するように、絞込み条件として「２００３年以降」および「閲覧可」が入力された場合に、条件表示制御部５５２は、ＵＩ部５１０を制御して、この絞込み条件に合致したアクセス権の設定範囲を示す設定範囲表示７１０ａおよび７１０ｂを表示させる。本例の設定範囲表示７１０ａおよび設定範囲表示７１０は、アクセス権が付与される対象が異なるため、互いに異なる表示属性で表示される。
【００３７】
図１２は、絞込み条件として期間が指定された場合のアクセス権の設定範囲表示を例示する図である。本例の絞込み条件は、「２０００年〜２００５年」の期間であり、条件表示制御部５５２は、スライダーバー等でこの期間における各時点の指定を受け付け、各時点に設定されているアクセス権の設定範囲表示を連続的に変化させて表示する。図１２（Ａ）は、「２００２年１月」の時点が指定されているときの設定範囲表示を例示し、（Ｂ）は、「２００４年１月」の時点が指定されているときの設定範囲表示を例示する。
図１２（Ａ）に例示するように、条件表示制御部５５２は、「２００２年１月」の時点が指定されると、「２００２年１月」の時点が有効期間内であるアクセス権の設定範囲表示（７１０ａ，７１０ｂ，７１０ｃおよび７１０ｄ）を表示させる。
さらに、スライダーバーがドラッグされて、「２００４年１月」の時点が指定されると、条件表示制御部５５２は、図１２（Ｂ）に例示するように、「２００４年１月」の時点が有効期間内であるアクセス権の設定範囲表示（７１０ａおよび７１０ｂ）を表示させる。
このように、連続的な時間の変化に応じた設定範囲表示７１０を連続表示させる場合には、権限レベルまたは付与対象を予め絞り込んでおいてもよい。例えば、権限レベル「閲覧可」に絞り込んで時間を変化させると、設定範囲表示７１０は、閲覧が許可される範囲の変動を連続的に表示する。
【００３８】
図１３は、２つの絞込み条件により絞り込まれたアクセス権の差分を示す設定範囲表示を例示する図である。
図１３に例示するように、第１の絞込み条件として「全期間にＡ１Ｇグループ員に対して設定」が入力され、第２の絞込み条件として「全期間にＡ２Ｇグループ員に対して設定」が入力され、第１の絞込み条件から第２の絞込み条件を差し引いた差分を表示するよう指示された場合に、条件表示制御部５５２は、この差分に対応する設定範囲表示８１０を表示させる。本例の設定範囲表示８１０は、Ａ１Ｇグループ員に設定され、Ａ２Ｇグループ員に設定されていない部分を示す。すなわち、設定範囲表示８１０は、図９に例示した設定範囲表示７１０ａ（Ａ１Ｇグループ員のみに設定されたアクセス権の範囲）から、設定範囲表示７１０ｄ（全ての社員に対して設定されたアクセス権の範囲）と重なり合う部分を除いたものである。
このように、条件設定プログラム５は、２以上の絞込み条件で絞り込まれたアクセス権の設定範囲の差分を表示することにより、アクセス権が重なっていない範囲（すなわち、その絞込み条件に特有のアクセス権設定箇所）に関する設定情報の確認を容易にする。
【００３９】
次に、アクセス権のリスト表示について説明する。
図１４は、アクセス権のリスト表示画面９００を例示する図である。
図１４に例示するように、リスト表示部５５４は、アクセス権のリスト表示が指示されると、リスト表示画面９１０およびプレビュー画面７００を含むリスト表示画面９００を、ＵＩ装置２６（図１）上に表示させる。
リスト表示画面９１０は、設定されたアクセス権の設定情報を、設定順に並べて一覧表示する。本例のアクセス権設定情報は、設定されたアクセス権のシリアル番号である「設定条件Ｎｏ」、アクセス権の権限レベルを示す「権限内容」、およびアクセス権の有効期間を示す「期間」である。リスト表示画面９１０に表示されたアクセス権設定情報の中から、１つのアクセス権設定情報が選択されると、リスト表示部５５４は、選択されたアクセス権設定情報９１２の表示態様を変化させて、このアクセス権設定情報９１２が選択されたことを示す。
リスト表示部５５４は、さらに、選択されたアクセス権設定情報９１２に対応する設定範囲表示７１０ｂを、プレビュー画面７００上に表示する。例えば、リスト表示部５５４は、選択されたアクセス権設定情報９１２と、これに対応するアクセス権の設定範囲を示す設定範囲表示７１０ｂとを、ほぼ同一な表示態様で表示する。
このように、リスト表示部５５４は、設定されたアクセス権設定情報の一覧表と、プレビュー画面７００上の設定範囲表示とを対応付けることにより、漏れのない設定確認を可能にする。
【００４０】
以上説明したように、本実施形態にかかる条件設定装置２は、電子文書の各部分に設定されたアクセス権を絞込み条件に応じて絞り込み、絞り込まれたアクセス権の設定範囲を示す設定範囲表示７１０を表示することにより、所望するアクセス権の設定範囲の確認を容易にする。特に、条件設定装置２は、アクセス権の有効期間を連続的に変化させて表示するので、アクセス権設定範囲の経時変化を動的に確認することが可能になる。
また、条件設定装置２は、２以上の絞込み条件に対応するアクセス権設定範囲の差分を表示することにより、例えば設定対象間で設定されたアクセス権の相違の確認を容易にする。
また、条件設定装置２は、アクセス権の一覧表示と、アクセス権の設定範囲表示とを互いに関連付けることにより、漏れのないアクセス権設定情報の確認を可能にする。
【００４１】
なお、上記実施形態では、電子文書に対するアクセス権設定に適用する場合を具体例として説明したが、これに限定されるものではなく、例えば、ネットワーク上の各構成にセキュリティ情報を設定する場面に適用してもよい。
また、上記実施形態では、スタンドアロンのコンピュータを用いて条件設定装置２を実現する場合を説明したが、クライアント・サーバシステムにより実現されてもよい。例えば、条件設定プログラム５をサーバ装置にインストールしておき、この条件設定プログラム５のＵＩ部５１０が、クライアント端末と通信を行い、クライアント端末で入力されたデータを受信し、クライアント端末に設定画面等のデータを送信し表示させることにより実現してもよい。
【００４２】
【発明の効果】
以上説明したように、本発明にかかる設定確認表示装置によれば、設定された条件の確認を容易にする。
【図面の簡単な説明】
【図１】本発明にかかる設定確認表示方法が適応される条件設定装置２のハードウェア構成を例示する図である。
【図２】制御装置２０（図１）により実行され、本発明にかかる設定確認表示方法を実現する条件設定プログラム５の構成を示す図である。
【図３】設定ＤＢ５３０が記憶する設定テーブル５３２を例示する図である。
【図４】条件設定装置２（条件設定プログラム５）の権限設定動作（Ｓ１０）を示すフローチャートである。
【図５】図４に示された設定情報入力処理（Ｓ１１０）をより詳細に説明するフローチャートである。
【図６】（Ａ）は、機密部分の指定を受け付ける設定画面６１０を例示し、（Ｂ）は、権限の有効期間の設定を受け付ける設定画面６２０を例示し、（Ｃ）は、権限レベルの設定を受け付ける設定画面６３０を例示する図である。
【図７】条件表示制御部５４２により表示される表示属性設定画面６４０を例示する図である。
【図８】設定確認画面６１２に表示される電子文書を例示する図である。
【図９】図８に例示された電子文書に権限が設定された場合のプレビュー画面７００を例示する図である。
【図１０】絞込み表示（Ｓ２０）の動作を説明するフローチャートである。
【図１１】絞込み条件により絞り込まれたアクセス権の設定範囲表示を例示する図である。
【図１２】（Ａ）は、「２００２年１月」の時点が指定されているときの設定範囲表示を例示し、（Ｂ）は、「２００４年１月」の時点が指定されているときの設定範囲表示を例示する図である。
【図１３】２つの絞込み条件により絞り込まれたアクセス権の差分を示す設定範囲表示を例示する図である。
【図１４】アクセス権のリスト表示画面９００を例示する図である。
【符号の説明】
２・・・条件設定装置
５・・・条件設定プログラム
５１０・・・ＵＩ部
５２０・・・設定管理部
５３０・・・設定データベース
５４０・・・抽出部
５５０・・・ＵＩ制御部
５５２・・・条件表示制御部
５５４・・・リスト表示部
５６０・・・印刷部
７００・・・プレビュー画面
７１０・・・設定範囲表示
【図１】
2004272421.tif 000003
【図２】
2004272421.tif 000004
【図３】
2004272421.tif 000005
【図４】
2004272421.tif 000006
【図５】
2004272421.tif 000007
【図６】
2004272421.tif 000008
【図７】
2004272421.tif 000009
【図８】
2004272421.tif 000010
【図９】
2004272421.tif 000011
【図１０】
2004272421.tif 000012
【図１１】
2004272421.tif 000013
【図１２】
2004272421.tif 000014
【図１３】
2004272421.tif 000015
【図１４】
2004272421.tif 000016